【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
画像形成装置に着脱可能なプロセスカートリッジにおいて、
電子写真感光体と、
前記電子写真感光体に形成された静電潜像を現像するために現像剤を担持する現像剤担持体と、
前記現像剤担持体の長手方向の一端部及び他端部を回転可能に支持する現像枠体と、
前記一端部において前記電子写真感光体を回転可能に支持して、前記一端部において前記現像枠体を揺動可能に支持する感光体枠体と、前記他端部において前記感光体枠体に取り付けられた支持部材であって、前記他端部において前記電子写真感光体を回転可能に支持して、前記他端部において前記現像枠体を揺動可能に支持する支持部材と、
を有することを特徴とするプロセスカートリッジ。
【請求項２】
前記現像枠体は、一端被支持部を前記一端部に、かつ、他端被支持部を前記他端部に、有しており、前記感光体枠体は、前記一端被支持部を揺動可能に支持するための一端支持部を前記一端部に有しており、前記支持部材は、前記他端被支持部を揺動可能に支持するための第一支持部を有していることを特徴とする請求項１に記載のプロセスカートリッジ。
【請求項３】
前記感光体枠体は、前記一端部において前記電子写真感光体を回転可能に支持する感光体支持部を有しており、前記支持部材は、前記他端部において前記電子写真感光体を回転可能に支持する第二支持部を有していることを特徴とする請求項２に記載のプロセスカートリッジ。
【請求項４】
前記支持部材は、前記現像枠体の前記長手方向への移動を規制するための規制部を有することを特徴とする請求項３に記載のプロセスカートリッジ。
【請求項５】
前記他端部において前記現像枠体に設けられた被規制部が、前記他端部において前記感光体枠体に設けられた他の規制部と、前記規制部と、によって規制されることによって、前記現像枠体の前記長手方向への移動が規制されることを特徴とする請求項４に記載のプロセスカートリッジ。
【請求項６】
前記現像枠体は一時的被支持部を前記他端部に有し、前記感光体枠体は一時的支持部を前記他端部に有しており、前記プロセスカートリッジを組み立てるために前記感光体枠体に前記現像枠体を支持させた際に、前記一時的支持部は前記一時的被支持部を一時的に支持することを特徴とする請求項３乃至５のいずれか一項に記載のプロセスカートリッジ。
【請求項７】
前記一時的支持部が前記一時的被支持部を一時的に支持した際に、前記第一支持部が前記他端被支持部を、かつ、前記第二支持部が前記電子写真感光体を、支持可能な位置に、前記感光体枠体に対して前記現像枠体が位置決めされることを特徴とする請求項６に記載のプロセスカートリッジ。
【請求項８】
前記プロセスカートリッジを組み立てるために前記感光体枠体に前記現像枠体を支持させて前記感光体枠体に前記支持部材を取り付けた際に、前記一時的支持部に前記一時的被支持部を支持させないようにして、かつ、前記第一支持部に前記他端被支持部を支持させるために、前記一時的被支持部と前記一時的支持部との間の遊びは、前記他端被支持部と前記第一支持部との間の遊びよりも大きく構成されていることを特徴とする請求項６に記載のプロセスカートリッジ。
【請求項９】
前記一時的被支持部は、前記他端被支持部の揺動中心と同軸上に設けられていることを特徴とする請求項６に記載のプロセスカートリッジ。
【請求項１０】
前記現像枠体は一時的被支持部を前記他端部に有し、前記感光体枠体は一時的支持部を前記他端部に有しており、前記プロセスカートリッジを分解するために前記プロセスカートリッジから前記支持部材を取り外した際に、前記一時的支持部は前記一時的被支持部を一時的に支持することを特徴とする請求項３乃至５のいずれか一項に記載のプロセスカートリッジ。
【請求項１１】
前記一時的支持部が前記一時的被支持部を一時的に支持した際に、前記第一支持部が前記他端被支持部を、かつ、前記第二支持部が前記電子写真感光体を、支持可能な位置に、前記感光体枠体に対して前記現像枠体が位置決めされることを特徴とする請求項６に記載のプロセスカートリッジ。
【請求項１２】
前記プロセスカートリッジを分解するために前記プロセスカートリッジから前記支持部材を取り外す前に、前記一時的支持部に前記一時的被支持部を支持させないようにして、かつ、前記第一支持部に前記他端被支持部を支持させるために、前記一時的被支持部と前記一時的支持部との間の遊びは、前記他端被支持部と前記第一支持部との間の遊びよりも大きく構成されていることを特徴とする請求項１０に記載のプロセスカートリッジ。
【請求項１３】
前記一時的被支持部は、前記他端被支持部の揺動中心と同軸上に設けられていることを特徴とする請求項１０に記載のプロセスカートリッジ。
【請求項１４】
前記現像枠体は、前記現像剤担持体へ供給する現像剤を収納する現像剤収納部を有することを特徴とする請求項２乃至５のいずれか１項に記載のプロセスカートリッジ。
【請求項１５】
前記感光体枠体は、前記電子写真感光体から除去された除去現像剤を収納する除去現像剤収納部を有することを特徴とする請求項２乃至５のいずれか１項に記載のプロセスカートリッジ。
【請求項１６】
電子写真感光体と、前記電子写真感光体に形成された静電潜像を現像するために現像剤を担持する現像剤担持体と、前記現像剤担持体の長手方向の一端部及び他端部を回転可能に支持する現像枠体と、前記一端部において前記電子写真感光体を回転可能に支持して、前記一端部において前記現像枠体を揺動可能に支持する感光体枠体と、を有するプロセスカートリッジ、に用いられ、前記他端部において前記感光体枠体に取り付けられる支持部材であって、
前記他端部において前記電子写真感光体を回転可能に支持して、前記他端部において前記現像枠体を揺動可能に支持することを特徴とする支持部材。
【請求項１７】
前記他端部において前記電子写真感光体を回転可能に支持する第一支持部と、
前記他端部において前記現像枠体を揺動可能に支持する第二支持部と、
を有することを特徴とする請求項１６に記載の支持部材。
【請求項１８】
前記現像枠体の前記長手方向への移動を規制する規制部、を有することを特徴とする請求項１６又は１７に記載の支持部材。
【請求項１９】
前記プロセスカートリッジが画像形成装置に装着された際に、前記プロセスカートリッジを前記画像形成装置に位置決めするための位置決め部と、
前記プロセスカートリッジが前記画像形成装置に装着された際に、前記プロセスカートリッジが前記位置決め部を中心に回転するのを規制する、前記画像形成装置と当接する回転規制部と、
を有することを特徴とする請求項１８に記載の支持部材。
【請求項２０】
前記回転規制部は、前記プロセスカートリッジが前記画像形成装置に着脱される際に、前記画像形成装置に設けられたガイド部材にガイドされることを特徴とする請求項１９に記載の支持部材。
【請求項２１】
画像形成装置に着脱可能なプロセスカートリッジであって、電子写真感光体と、前記電子写真感光体に形成された静電潜像を現像するために現像剤を担持する現像剤担持体と、前記現像剤担持体の長手方向の一端部と他端部とを支持する現像枠体と、感光体枠体と、支持部材と、を有するプロセスカートリッジの組み立て方法であって、
前記一端部において前記電子写真感光体を前記感光体枠体に回転可能に支持させる感光体支持工程と、
前記一端部において前記現像枠体を前記感光体枠体に揺動可能に支持させる枠体支持工程と、
前記他端部において前記現像枠体を前記支持部材に揺動可能に支持させて、かつ、前記他端部において前記電子写真感光体を前記支持部材に回転可能に支持させて、前記他端部において前記支持部材を前記感光体枠体に取り付ける支持部材取り付け工程と、
を有すること特徴とするプロセスカートリッジの組み立て方法。
【請求項２２】
前記現像枠体は、一端被支持部を前記一端部に、かつ、他端被支持部を前記他端部に有し、前記感光体枠体は、一端支持部を前記一端部に有し、前記支持部材は、第一支持部と第二支持部とを有し、
前記枠体支持工程において、前記一端被支持部を前記一端支持部に揺動可能に支持させて、
前記支持部材取り付け工程において、前記他端被支持部を前記第一支持部に揺動可能に支持させて、かつ、前記電子写真感光体を前記第二支持部に支持させる、
ことを有すること特徴とする請求項２１に記載のプロセスカートリッジの組み立て方法。
【請求項２３】
前記現像枠体は一時的被支持部を前記他端部に有し、前記感光体枠体は一時的支持部を前記他端部に有し、
前記枠体支持工程において、前記一時的支持部に前記一時的被支持部を一時的に支持させて、
前記支持部材取り付け工程において、前記第一支持部に前記他端被支持部を揺動可能に支持させることにより、前記一時的支持部に前記一時的被支持部を支持させない状態にする、
ことを特徴とする請求項２２に記載のプロセスカートリッジの組み立て方法。
【請求項２４】
前記一時的被支持部は、前記他端被支持部の揺動中心と同軸上に設けられていることを特徴とする請求項２３に記載のプロセスカートリッジの組み立て方法。
【請求項２５】
前記枠体支持工程の後で前記支持部材取り付け工程の前に、前記第一支持部が前記他端被支持部を、かつ、前記第二支持部が前記電子写真感光体を、支持可能な位置に、前記感光体枠体に対して前記現像枠体が位置決めされることを特徴とする請求項２３に記載のプロセスカートリッジの組み立て方法。
【請求項２６】
前記枠体支持工程において、前記感光体枠体に対して前記現像枠体を前記長手方向に沿って前記他端部から前記一端部へスライドさせることにより、前記一端支持部に前記一端被支持部を支持させて、かつ、前記一時的支持部に前記一時的被支持部を支持させることを特徴とする請求項２３に記載のプロセスカートリッジの組み立て方法。
【請求項２７】
前記枠体支持工程において、前記感光体枠体に対して前記現像枠体を前記長手方向に対して交差する交差方向に移動させた後に、前記感光体枠体に対して前記現像枠体を前記長手方向に沿って前記他端部から前記一端部へスライドさせることにより、前記一端支持部に前記一端被支持部を、かつ、前記一時的支持部に前記一時的被支持部を、支持させることを特徴とする請求項２３に記載のプロセスカートリッジの組み立て方法。
【請求項２８】
画像形成装置に着脱可能なプロセスカートリッジであって、電子写真感光体と、前記電子写真感光体に形成された静電潜像を現像するために現像剤を担持する現像剤担持体と、前記現像剤担持体の長手方向の一端部と他端部とを支持する現像枠体と、前記一端部において前記電子写真感光体を回転可能に支持して、前記一端部において前記現像枠体を揺動可能に支持する感光体枠体と、前記他端部において前記感光体枠体に取り付けられた支持部材であって、前記他端部において前記電子写真感光体を回転可能に支持して、前記他端部において前記現像枠体を揺動可能に支持する支持部材と、を有するプロセスカートリッジの分解方法であって、
前記他端部において前記現像枠体及び前記電子写真感光体から前記支持部材を離間させ、前記他端部において前記感光体枠体から前記支持部材を取り外す支持部材取り外し工程と、
前記一端部において前記感光体枠体から前記現像枠体を取り外す枠体取り外し工程と、
前記一端部において前記感光体枠体から前記電子写真感光体を取り外す感光体取り外し工程と、
を有すること特徴とするプロセスカートリッジの分解方法。
【請求項２９】
前記現像枠体は、一端被支持部を前記一端部に、かつ、他端被支持部を前記他端部に有し、前記感光体枠体は一端支持部を前記一端部に有し、前記支持部材は第一支持部及び第二支持部を有し、
前記支持部材取り外し工程において、前記他端被支持部から前記第一支持部を離間させて、かつ、前記電子写真感光体から前記第二支持部を離間させる、
前記枠体取り外し工程において、前記一端被支持部から前記一端支持部を離間させる、
ことを有すること特徴とする請求項２８に記載のプロセスカートリッジの分解方法。
【請求項３０】
前記現像枠体は一時的被支持部を前記他端部に有し、前記感光体枠体は一時的支持部を前記他端部に有し、
前記支持部材取り外し工程において、前記他端被支持部から前記第一支持部を離間させることにより、前記一時的支持部に前記一時的被支持部を一時的に支持させることを特徴とする請求項２９に記載のプロセスカートリッジの分解方法。
【請求項３１】
前記一時的被支持部は、前記他端被支持部の揺動中心と同軸上に設けられていることを特徴とする請求項３０に記載のプロセスカートリッジの分解方法。
【請求項３２】
前記枠体取り外し工程の前で前記支持部材取り外し工程の後に、前記第一支持部が前記他端被支持部を、かつ、前記第二支持部が前記電子写真感光体を、支持可能な位置に、前記感光体枠体に対して前記現像枠体が位置決めされることを特徴とする請求項２９に記載のプロセスカートリッジの分解方法。
【請求項３３】
前記枠体取り外し工程において、前記一時的被支持部から前記一時的支持部を離間させることを特徴とする請求項３０に記載のプロセスカートリッジの分解方法。
【請求項３４】
前記枠体取り外し工程において、前記感光体枠体に対して前記現像枠体を前記長手方向に沿って前記一端部から前記他端部へスライドさせることにより、前記一端被支持部から前記一端支持部を離間させ、前記一時的被支持部から前記一時的支持部を離間させることを特徴とする請求項３０に記載のプロセスカートリッジの分解方法。
【請求項３５】
前記枠体取り外し工程において、前記感光体枠体に対して前記現像枠体を前記長手方向に沿って前記一端部から前記他端部へスライドさせることにより、前記一端被支持部から前記一端支持部を離間させて、かつ、前記一時的被支持部から前記一時的支持部を離間させた後に、前記感光体枠体に対して前記現像枠体を前記長手方向に対して交差する交差方向に移動させる、
ことを特徴とする請求項３０に記載のプロセスカートリッジの分解方法。
【請求項３６】
電子写真感光体と、前記電子写真感光体に形成された静電潜像を現像するために現像剤を担持する現像剤担持体と、前記現像剤担持体の長手方向の一端部と他端部とを支持する現像枠体と、感光体枠体と、支持部材と、を有するプロセスカートリッジの組み立て方法において、
前記一端部において前記現像枠体を前記感光体枠体に揺動可能に支持させて、前記他端部において前記現像枠体を前記感光体枠体に一時的に支持させる枠体支持工程と、
前記他端部において前記現像枠体を前記感光体枠体に支持させないようにして、かつ、前記他端部において前記現像枠体を前記支持部材に揺動可能に支持させるために、前記支持部材を前記感光体枠体に取り付ける支持部材取り付け工程と、
を有するプロセスカートリッジの組み立て方法。
【請求項３７】
前記一端部において前記電子写真感光体を前記感光体枠体に回転可能に支持させる感光体支持工程と、
を有し、
前記支持部材取り付け工程において、前記他端部において前記電子写真感光体を前記支持部材に回転可能に支持させる、
ことを特徴とする請求項３６に記載のプロセスカートリッジの組み立て方法。
【請求項３８】
前記枠体支持工程の後で前記支持部材取り付け工程の前に、前記他端部において前記支持部材が前記現像枠体及び前記電子写真感光体を支持可能な位置に、前記感光体枠体に対して前記現像枠体が位置決めされることを特徴とする請求項３６に記載のプロセスカートリッジの組み立て方法。
【請求項３９】
画像形成装置に着脱可能なプロセスカートリッジであって、電子写真感光体と、前記電子写真感光体に形成された静電潜像を現像するために現像剤を担持する現像剤担持体と、前記現像剤担持体の長手方向の一端部と他端部とを支持する現像枠体と、前記一端部において前記電子写真感光体を回転可能に支持して、前記一端部において前記現像枠体を揺動可能に支持する感光体枠体と、前記他端部において前記感光体枠体に取り付けられた支持部材であって、前記他端部において前記電子写真感光体を回転可能に支持して、前記他端部において前記現像枠体を揺動可能に支持する支持部材と、を有するプロセスカートリッジの分解方法であって、
前記他端部において前記現像枠体及び前記電子写真感光体から前記支持部材を離間させることにより、前記他端部において前記現像枠体を前記感光体枠体に一時的に支持させて、前記他端部において前記感光体枠体から前記支持部材を取り外す支持部材取り外し工程と、
前記一端部及び前記他端部において前記感光体枠体から前記現像枠体を取り外す枠体取り外し工程と、
を有すること特徴とするプロセスカートリッジの分解方法。
【請求項４０】
前記一端部において前記電子写真感光体を前記感光体枠体から取り外す感光体取り外し工程、
を有し、
前記支持部材取り外し工程において、前記他端部において前記電子写真感光体を前記支持部材に回転可能に支持させる、
ことを特徴とする請求項３９に記載のプロセスカートリッジの分解方法。
【請求項４１】
前記枠体取り外し工程の前で前記支持部材取り外し工程の後に、前記他端部において前記現像枠体及び前記電子写真感光体を前記支持部材に支持させることが可能な位置に、前記感光体枠体に対して前記現像枠体が位置決めされることを特徴とする請求項３９に記載のプロセスカートリッジの分解方法。